(57)【要約】【課題】省エネルギ化を好適に図ることができる住宅を提供する。【解決手段】住宅は、一階部分と二階部分１２とを有してなる二階建てである。二階部分１２には、南面と東面との二面が屋外に開放されたバルコニー３６と、そのバルコニー３６の北側に隣接するＬＤＫ３１とが設けられている。バルコニー３６とＬＤＫ３１とを仕切る外壁４８にはＬＤＫ３１への採光を可能とする窓部５１が設けられ、その窓部５１にはガラス戸５２が設けられている。バルコニー３６の上方には屋根部１３の軒部が設けられている。二階部分１２においてバルコニー３６の西面側には、外壁４８よりも南側に張り出した張出部が設けられている。【選択図】      図３
2017226960.tif 000002
【特許請求の範囲】
【請求項１】
下階部と上階部とを有してなる多層階建ての住宅であって、
前記上階部には、南面と東面との二面が屋外に開放されたバルコニーと、そのバルコニーの北側に隣接する居間空間とが設けられ、
前記バルコニーと前記居間空間とを仕切る仕切壁には前記居間空間への採光を可能とする採光窓部が設けられ、
前記バルコニーにおいて前記採光窓部の上方には庇部が設けられ、
前記上階部において前記バルコニーの西面側には、前記仕切壁よりも南側に張り出した張出部が設けられ、
前記張出部は、前記バルコニーの床部と前記庇部とに跨がって上下に延びていることを特徴とする住宅。
【請求項２】
前記採光窓部には、ガラス窓が設けられ、
前記ガラス窓は、前記住宅に設けられた他のガラス窓よりも日射熱取得率が大きくなっていることを特徴とする請求項１に記載の住宅。
【請求項３】
前記居間空間は、前記バルコニーよりも西側に延出した延出空間部を有し、
その延出空間部の南側に隣接する隣接空間を備え、
前記張出部は、その内部に前記隣接空間を有して形成されていることを特徴とする請求項１又は２に記載の住宅。
【請求項４】
前記隣接空間は、居間空間ではない非居間空間からなることを特徴とする請求項３に記載の住宅。
【請求項５】
前記居間空間は、リビングとダイニングとキッチンとが連続するＬＤＫ空間であることを特徴とする請求項３又は４に記載の住宅。
【請求項６】
前記ＬＤＫ空間は、前記バルコニーに隣接する隣接空間部と、前記バルコニーよりも西側に延出した前記延出空間部とを有しており、
前記隣接空間部が前記延出空間部よりも北側に延出していることで、前記ＬＤＫ空間が平面視Ｌ字状に形成されていることを特徴とする請求項５に記載の住宅。
【請求項７】
居室空間として、前記居間空間に加えて、複数の寝室を備え、
前記複数の寝室はいずれも前記下階部に設けられていることを特徴とする請求項１乃至６のいずれか一項に記載の住宅。
【発明の詳細な説明】
【技術分野】
【０００１】
本発明は、住宅に関する。
【背景技術】
【０００２】
近年、住宅においては、省エネルギ化の観点から、住宅内に取り込まれる日射量を制御して冷暖房で消費する消費エネルギ量の低減を図る取り組みが行われている。例えば特許文献１には、ブラインドやロールスクリーン等の日除け装置をモータにより開度調整可能とし、夏場には日射の取り込みを抑制し、冬場には日射を積極的に取り込むよう、日除け装置の開度を自動で調整する技術が提案されている。これによれば、夏場には日射熱の流入を抑制することで冷房負荷の低減を図ることができ、冬場には日射熱の流入を促すことで暖房負荷の低減を図ることができる。そのため、冷暖房で消費する消費エネルギの低減を図ることができる。
【先行技術文献】
【特許文献】
【０００３】
【特許文献１】特開２００４−６２２６９号公報
【発明の概要】
【発明が解決しようとする課題】
【０００４】
しかしながら、上記特許文献１の技術では、日除け装置の開度をモータにより制御することで日射量を調整するようにしているため、日射量の調整に際してエネルギを消費することになってしまう。
【０００５】
また、隣接する住宅間の間隔（隣棟間隔）が狭くなっている住宅密集地等では、冬場に日射を取り込むのがそもそも難しく、上記特許文献１の技術を採用したとしても、冬場に日射熱を取り込んで暖房負荷の低減を図るのが難しいと考えられる。よって、住宅の省エネルギ化を図る上では未だ改善の余地があると考えられる。
【０００６】
本発明は、上記事情に鑑みてなされたものであり、省エネルギ化を好適に図ることができる住宅を提供することを主たる目的とするものである。
【課題を解決するための手段】
【０００７】
上記課題を解決すべく、第１の発明の住宅は、下階部と上階部とを有してなる多層階建ての住宅であって、前記上階部には、南面と東面との二面が屋外に開放されたバルコニーと、そのバルコニーの北側に隣接する居間空間とが設けられ、前記バルコニーと前記居間空間とを仕切る仕切壁には前記居間空間への採光を可能とする採光窓部が設けられ、前記バルコニーにおいて前記採光窓部の上方には庇部が設けられ、前記上階部において前記バルコニーの西面側には、前記仕切壁よりも南側に張り出した張出部が設けられ、前記張出部は、前記バルコニーの床部と前記庇部とに跨がって上下に延びていることを特徴とする。
【０００８】
本発明によれば、上階部において、南面と東面との二面が屋外に開放されたバルコニーの北側に居間空間が設けられ、その居間空間とバルコニーとの間に採光窓部が設けられている。この場合、冬場においては、南側からの日射と、東側からの日射とを採光窓部を通じて居間空間に取り込むことができる。また、居間空間の南側にバルコニーが設けられていることから、住宅南側の隣棟から居間空間までの距離をバルコニーによりかせぐ（大きくする）ことができる。そのため、住宅南側で隣棟が近接している場合にも、居間空間に日射ひいては日射熱を好適に取り込むことができ、冬場において暖房負荷の低減を好適に図ることができる。
【０００９】
また、バルコニーの上方には庇部が設けられているため、夏場においては居間空間に南側からの日射が射し込むのを抑制することができる。また、バルコニーの西面側には、仕切壁よりも南側に張り出した張出部が設けられているため、居間空間に西側から日射（いわゆる西日）が射し込むのを抑制することができる。これにより、夏場においては居間空間に日射熱が取り込まれるのを抑制することができるため、冷房負荷の低減を図ることができる。
【００１０】
このように、本発明では、住宅の間取りや構造を工夫することで、冷暖房負荷の低減を図るようにしているため、上述した従来技術（特許文献１の技術）とは異なり、エネルギ消費を伴うことなく冷暖房負荷の低減を図ることができる。よって、この場合、省エネルギ化を好適に図ることができる。
【００１１】
また、居間空間は、寝室等他の部屋と比べて昼間の利用頻度が高いため、冷暖房を昼間に利用する頻度も高いと考えられる。この点本発明では、かかる居間空間を対象として、上述した冷暖房負荷の低減を図るようにしているため、この点からも、省エネルギ化を好適に図ることができる。
【００１２】
第２の発明の住宅は、第１の発明において、前記採光窓部には、ガラス窓が設けられ、前記ガラス窓は、前記住宅に設けられた他のガラス窓よりも日射熱取得率が大きくなっていることを特徴とする。
【００１３】
本発明によれば、居間空間の採光窓部に設けられたガラス窓の日射熱取得率が住宅における他のガラス窓の日射熱取得率よりも大きくなっているため、冬場において居間空間に日射熱を取り込み易くすることができる。これにより、冬場において暖房負荷の低減をより好適に図ることができる。また、一般に、暖房によるエネルギ消費は冷房によるエネルギ消費よりも大きいことから、暖房負荷の低減を図ることの意義は大きいといえる。
【００１４】
第３の発明の住宅は、第１又は第２の発明において、前記居間空間は、前記バルコニーよりも西側に延出した延出空間部を有し、その延出空間部の南側に隣接する隣接空間を備え、前記張出部は、その内部に前記隣接空間を有して形成されていることを特徴とする。
【００１５】
本発明によれば、居間空間がバルコニーよりも西側に延出しているため、冬場において居間空間に東側から日射が射し込む際に、その日射を居間空間の広範囲に取り込むことができる。これにより、冬場において居間空間に日射熱を好適に取り込むことができ、その日射熱による暖房負荷の低減を好適に図ることができる。
【００１６】
また、居間空間の延出空間部の南側には隣接空間が隣接しており、その隣接空間を内部に有して張出部が形成されているため、延出空間部はその南側において張出部により屋外と隔てられている。この場合、延出空間部がその南側において屋外と隣接している場合と比べて、延出空間部に屋外から南側の外壁を介して日射熱が流入するのを抑制することができる。これにより、居間空間に延出空間部が設けられた構成にあって、夏場における冷房負荷の低減を好適に図ることができる。
【００１７】
第４の発明の住宅は、第３の発明において、前記隣接空間は、居間空間ではない非居間空間からなることを特徴とする。
【００１８】
隣接空間は住宅の南側に位置するため、夏場においては南側の外壁等を介して日射熱が流入し易い。この点本発明では、隣接空間が、昼間の利用頻度が比較的低い非居間空間とされているため、夏場の昼間に隣接空間で冷房が利用される頻度を少なくすることができる。これにより、隣接空間への日射熱の流入に伴う冷房負荷の増大を抑制することができる。
【００１９】
第５の発明の住宅は、第３又は第４の発明において、前記居間空間は、リビングとダイニングとキッチンとが連続するＬＤＫ空間であることを特徴とする。
【００２０】
ＬＤＫ空間はリビングとダイニングとキッチンとが連続する連続空間（大空間）となっているため、ＬＤＫ空間を冷暖房するにあたってはその負荷が特に大きくなると考えられる。この点本発明では、そのＬＤＫ空間を対象として、上述した冷暖房負荷の低減を図るようにしているため、住宅の省エネルギ化をより好適に図ることができる。
【００２１】
第６の発明の住宅は、第５の発明において、前記ＬＤＫ空間は、前記バルコニーに隣接する隣接空間部と、前記バルコニーよりも西側に延出した前記延出空間部とを有しており、前記隣接空間部が前記延出空間部よりも北側に延出していることで、前記ＬＤＫ空間が平面視Ｌ字状に形成されていることを特徴とする。
【００２２】
本発明によれば、ＬＤＫ空間がバルコニーよりも西側に延出していることに加え、ＬＤＫ空間（隣接空間部）が延出空間部よりも北側に延出して南北に延びている。この場合、ＬＤＫ空間に東側から日射が射し込む際だけでなく、ＬＤＫ空間に南側から日射が射し込む際にも、日射をＬＤＫ空間の広範囲に取り込むことができる。これにより、冬場において、大空間であるＬＤＫ空間に日射熱を好適に取り込むことができ、その日射熱による暖房負荷の低減を好適に図ることができる。
【００２３】
第７の発明の住宅は、第１乃至第６のいずれかの発明において、居室空間として、前記居間空間に加えて、複数の寝室を備え、前記複数の寝室はいずれも前記下階部に設けられていることを特徴とする。
【００２４】
寝室では、夜間に冷暖房が利用されるため、昼間の日射熱が冷暖房の負荷低減に与える影響が少ない。そこで、本発明では、この点に鑑みて、住宅に設けられた複数の寝室をいずれも下階部に集約させている。すなわち、日当たりが比較的悪い下階部に寝室を集約させている。この場合、日当たりが良い上階部において、居間空間を広く形成することが可能となるため、居間空間を開放感あふれる空間とすることができる。
【図面の簡単な説明】
【００２５】
【図１】住宅の概略を示す縦断面図。
【図２】一階部分の間取りを示す平面図。
【図３】二階部分の間取りを示す平面図。
【発明を実施するための形態】
【００２６】
以下に、本発明を具体化した一実施の形態について図面を参照しつつ説明する。なお、図１は住宅の概略を示す縦断面図である。
【００２７】
図１に示すように、住宅１０は、下階部としての一階部分１１と、上階部としての二階部分１２とを有する二階建てとなっている。二階部分１２の上方には屋根部１３が設けられている。屋根部１３は、例えば切妻屋根となっている。住宅１０の南側には隣家Ｋが近接して設けられ、その隣家Ｋも住宅１０と同様、二階建てとなっている。図１ではその隣家Ｋが二点鎖線（仮想線）にて示されている。
【００２８】
続いて、住宅１０の一階部分１１及び二階部分１２の間取りについて説明する。まず、一階部分１１の間取りについて図２に基づき説明する。図２は、一階部分１１の間取りを示す平面図である。
【００２９】
図２に示すように、住宅１０の一階部分１１には、屋内空間として、玄関１４と、廊下１５と、寝室１６と、子供部屋１７と、洗面室１８と、浴室１９と、トイレ２１とが設けられている。玄関１４は、一階部分１１において北側に設けられ、廊下１５と隣接している。廊下１５は、寝室１６、子供部屋１７、洗面室１８及びトイレ２１にそれぞれ通じているとともに、二階部分１２へ延びる階段２７に通じている。
【００３０】
寝室１６は、親用の主寝室となっている。寝室１６には、ベッド１６ａが設けられている他、ソファ１６ｂ等が設けられている。寝室１６は、一階部分１１において北側に設けられ、詳しくは北東の角部に設けられている。寝室１６の南側にはウォークインクローゼット２２が設けられている。ウォークインクローゼット２２には寝室１６から出入りが可能となっている。また、寝室１６には空調装置２８（エアコン）が設けられ、その空調装置２８により寝室１６の冷暖房を行うことが可能となっている。
【００３１】
子供部屋１７は、一階部分１１において南側に設けられている。子供部屋１７は東西に並んで複数（具体的には２つ）設けられ、各子供部屋１７は仕切壁２３により互いに仕切られている。各子供部屋１７には、学習机１７ａが設けられている他、ベッド１７ｂが設けられている。したがって、子供部屋１７は子供の寝室としても利用され、特許請求の範囲に記載の「寝室」に相当する。また、各子供部屋１７には空調装置２９（エアコン）が設けられ、その空調装置２９により子供部屋１７の冷暖房を行うことが可能となっている。
【００３２】
各子供部屋１７はその南側に設けられた外壁２４により屋外と仕切られている。外壁２４には、子供部屋１７と屋外とを連通する窓部２５が設けられている。窓部２５にはガラス窓２６が配設されている。
【００３３】
続いて、住宅１０の二階部分１２の間取りについて図３に基づき説明する。図３は、二階部分１２の間取りを示す平面図である。
【００３４】
図３に示すように、二階部分１２には、屋内空間として、リビングダイニングキッチン３１（以下、略してＬＤＫ３１という）と、書斎３２，３３と、トイレ３４と、廊下３５とが設けられている。また、二階部分１２には、これら屋内空間に加えて、バルコニー３６が設けられている。
【００３５】
ＬＤＫ３１は、リビング３１ａとダイニング３１ｂとキッチン３１ｃとが互いに連続した一体空間とされており、平面視においてＬ字状をなすように形成されている。詳しくは、ＬＤＫ３１は、二階部分１２の東側で南北方向に延びる第１空間部３８と、第１空間部３８の南側から西側に向けて延びる第２空間部３９とを有する。この場合、第１空間部３８の東西方向の長さは第２空間部３９の南北方向の長さと略同じとされている。また、第１空間部３８において第２空間部３９よりも北側に延出した延出部分の南北方向の長さは第２空間部３９の東西方向の長さと略同じとされている。
【００３６】
ＬＤＫ３１は、本住宅１０において最も広い部屋となっており、換言すると最も気積（体積）の大きい部屋となっている。ＬＤＫ３１には、空調装置４１（エアコン）が設けられ、その空調装置４１によりＬＤＫ３１の冷暖房を行うことが可能となっている。なお、ＬＤＫ３１が「居間空間」に相当する。
【００３７】
廊下３５は、Ｌ字状をなすＬＤＫ３１の隅部内側に設けられている。廊下３５とＬＤＫ３１との間には出入口４３，４４が設けられ、これらの出入口４３，４４を介して廊下３５とＬＤＫ３１との間の出入りが可能となっている。また、各出入口４３，４４にはそれぞれ引き戸からなるドア４５，４６が設けられている。なお、各出入口４３，４４のうち、出入口４３が廊下３５とＬＤＫ３１の第２空間部３９との間に設けられ、出入口４４が廊下３５と第１空間部３８との間に設けられている。
【００３８】
ＬＤＫ３１の隅部内側には、廊下３５に加えて階段２７とトイレ３４とが設けられている。廊下３５は、これら階段２７及びトイレ３４にも通じている。また、廊下３５及び階段２７の北側には書斎３２が設けられ、その書斎３２には廊下３５から出入りが可能となっている。また、書斎３２は、二階部分１２において北西の角部に位置する角部屋となっている。
【００３９】
ＬＤＫ３１の南側にはバルコニー３６と書斎３３とが隣接して設けられている。バルコニー３６と書斎３３とは東西方向に並んでおり、バルコニー３６が東側に位置し、書斎３３が西側に位置している。詳しくは、バルコニー３６は二階部分１２において南東の角部に位置し、ＬＤＫ３１の第１空間部３８の南側に隣接している。また、書斎３３は二階部分１２において南西の角部に位置し、ＬＤＫ３１の第２空間部３９の南側に隣接している。なお、この場合、ＬＤＫ３１の第１空間部３８がバルコニー３６に隣接する「隣接空間部」に相当し、第２空間部３９がバルコニー３６よりも西側に延出する「延出空間部」に相当する。また、書斎３３がその延出空間部（第２空間部３９）に隣接する「隣接空間」及び「非居間空間」に相当する。
【００４０】
バルコニー３６と書斎３３とは平面視の大きさがいずれも略同じとされている。詳しくは、バルコニー３６と書斎３３とは、東西方向の長さがいずれも略同じとされ、また南北方向の長さがいずれも略同じとされている。また、バルコニー３６の東西方向の長さは第１空間部３８の東西方向の長さと略同じとされ、書斎３３の東西方向の長さは第２空間部３９の東西方向の長さと略同じとされている。
【００４１】
バルコニー３６と書斎３３とはいずれも一階部分１１の子供部屋１７の上方（真上）に配置されている。この場合、バルコニー３６はいわゆるルーフバルコニーとして形成されている。以下、バルコニー３６に関する構成について説明する。
【００４２】
図１及び図３に示すように、バルコニー３６はＬＤＫ３１（詳しくは第１空間部３８）と外壁４８により仕切られている。外壁４８には、バルコニー３６とＬＤＫ３１とを連通する窓部５１が形成されている。窓部５１はいわゆる掃き出し窓とされ、この窓部５１を通じてＬＤＫ３１とバルコニー３６との間の出入りが可能となっている。なお、外壁４８が「仕切壁」に相当し、窓部５１が「採光窓部」に相当する。
【００４３】
窓部５１には、ガラス戸５２（ガラス窓）が配設されている。このガラス戸５２により窓部５１が開閉される。ガラス戸５２は、日射熱取得率ηの比較的大きいガラス板５２ａを有して構成されている。ガラス板５２ａの日射熱取得率ηは０．５以上とされ、より詳しくは０．６〜０．７とされている。ガラス板５２ａ（ひいてはガラス戸５２）の日射熱取得率ηは、住宅１０に設けられた他のガラス戸（ガラス窓）の日射熱取得率よりも大きくなっている。そのため、ガラス戸５２の日射熱取得率ηは、住宅１０に設けられたすべてのガラス戸のうちで最も高くなっている。
【００４４】
バルコニー３６は、いわゆる南向きのバルコニーとされ、その南面と東面との二面が屋外に開放されている。バルコニー３６には、その床面を形成するバルコニー床部５４が設けられている。バルコニー床部５４には、屋外開放側となる南面側及び東面側にそれぞれ腰壁部５５が設けられている。なお、これら腰壁部５５に代えて手摺部を設けてもよい。
【００４５】
バルコニー３６の上方には、屋根部１３において外壁４８よりも屋外側（南側）に張り出した軒部５７が設けられている。この軒部５７によりバルコニー３６が上方から覆われている。なお、軒部５７が「庇部」に相当する。
【００４６】
続いて、書斎３３に関する構成について説明する。
【００４７】
二階部分１２においてバルコニー３６の西面側には、外壁４８よりも屋外側（南側）に張り出した張出部５９が設けられている。この張出部５９の内部には書斎３３が形成されている。書斎３３は、父親が読書等で利用する部屋となっており、主に父親の帰宅後、夜間に利用される。書斎３３には空調装置６１（エアコン）が設けられ、その空調装置６１により書斎３３の冷暖房を行うことが可能となっている。
【００４８】
書斎３３は、ＬＤＫ３１（詳しくは第２空間部３９）と仕切壁６２により仕切られている。仕切壁６２には、書斎３３とＬＤＫ３１とを連通する出入口６３が形成され、この出入口６３を通じてＬＤＫ３１と書斎３３との間の出入りが可能となっている。また、出入口６３には、開き戸からなるドア６４が設けられている。
【００４９】
張出部５９は、上記仕切壁６２とともに書斎３３を囲む壁部６６〜６８を有している。それらの壁部６６〜６８のうち、書斎３３の西面及び南面に設けられた各壁部は書斎３３と屋外とを仕切る外壁６６，６７となっており、東面に設けられた壁部は書斎３３とバルコニー３６とを仕切る仕切壁６８となっている。南面の外壁６７には窓部７１が設けられ、その窓部７１にはガラス戸７２（ガラス窓）が配設されている。また、東面の仕切壁６８は、バルコニー床部５４と屋根部１３の軒部５７とに跨がって上下に延びており、この仕切壁６８によりバルコニー３６が西側から覆われている。
【００５０】
以上、詳述した本実施形態の構成によれば、以下の優れた効果が得られる。
【００５１】
二階部分１２において、南面と東面との二面が屋外に開放されたバルコニー３６の北側にＬＤＫ３１が設けられ、そのＬＤＫ３１とバルコニー３６との間に窓部５１が設けられている。この場合、冬場においては、南側からの日射と、東側からの日射とを窓部５１を通じてＬＤＫ３１に取り込むことができる。また、ＬＤＫ３１の南側にバルコニー３６が設けられていることから、住宅１０南側の隣家ＫからＬＤＫ３１までの距離をバルコニー３６によりかせぐ（大きくする）ことができる。そのため、住宅１０南側で隣家Ｋが近接している場合にも、ＬＤＫ３１に日射ひいては日射熱を好適に取り込むことができ、冬場において空調装置４１の暖房負荷の低減を好適に図ることができる。
【００５２】
また、バルコニー３６の上方に軒部５７が設けられているため、夏場においてはＬＤＫ３１に南側からの日射が射し込むのを抑制することができる。また、バルコニー３６の西面側には、外壁４８よりも南側に張り出した張出部５９が設けられているため、ＬＤＫ３１に西側から日射（いわゆる西日）が射し込むのを抑制することができる。これにより、夏場においてはＬＤＫ３１に日射熱が取り込まれるのを抑制することができるため、空調装置４１の冷房負荷の低減を図ることができる。
【００５３】
このように、上記実施形態の住宅１０では、その間取りや構造を工夫することで、冷暖房負荷の低減が図られており、そのため、上述した従来技術（上記特許文献１の技術）とは異なり、エネルギ消費を伴うことなく冷暖房負荷の低減を図ることができる。よって、この場合、省エネルギ化を好適に図ることができる。
【００５４】
また、ＬＤＫ３１は、寝室等他の部屋と比べて昼間の利用頻度が高いため、冷暖房（空調装置４１）を昼間に利用する頻度も高いと考えられる。この点、上記実施形態の住宅１０では、かかるＬＤＫ３１を対象として、上述した冷暖房負荷の低減を図っているため、この点からも、省エネルギ化を好適に図ることができる。
【００５５】
ＬＤＫ３１の窓部５１に設けられたガラス戸５２（ガラス窓）の日射熱取得率が住宅１０における他のガラス窓の日射熱取得率よりも大きくなっているため、冬場においてＬＤＫ３１に日射熱を取り込み易くすることができる。これにより、冬場において暖房負荷の低減をより好適に図ることができる。また、一般に、暖房によるエネルギ消費は冷房によるエネルギ消費よりも大きいことから、暖房負荷の低減を図ることの意義は大きいといえる。
【００５６】
ＬＤＫ３１がバルコニー３６よりも西側に延出しているため、冬場においてＬＤＫ３１に東側から日射が射し込む際に、その日射をＬＤＫ３１の広範囲に取り込むことができる。これにより、冬場においてＬＤＫ３１に日射熱を好適に取り込むことができ、その日射熱による暖房負荷の低減を好適に図ることができる。
【００５７】
また、ＬＤＫ３１においてバルコニー３６よりも西側に延出する第２空間部３９（延出空間部に相当）の南側には書斎３３が隣接しており、その書斎３３を内部に有して張出部５９が形成されているため、第２空間部３９はその南側において張出部５９により屋外と隔てられている。この場合、第２空間部３９がその南側において屋外と隣接している場合と比べて、第２空間部３９に屋外から南側の外壁を介して日射熱が流入するのを抑制することができる。これにより、ＬＤＫ３１に第２空間部３９（延出空間部）が設けられた構成にあって、夏場における冷房負荷の低減を好適に図ることができる。
【００５８】
書斎３３（隣接空間に相当）は住宅の南側に位置するため、夏場においては南側の外壁６７等を介して日射熱が流入し易い。この点、隣接空間が昼間の利用頻度が比較的低い書斎３３とされているため、夏場の昼間に隣接空間（書斎３３）で冷房が利用される頻度を少なくすることができる。これにより、隣接空間（書斎３３）への日射熱の流入に伴う冷房負荷の増大を抑制することができる。
【００５９】
ＬＤＫ３１はリビング３１ａとダイニング３１ｂとキッチン３１ｃとが連続する連続空間（大空間）となっているため、ＬＤＫ３１を冷暖房するにあたってはその負荷が特に大きくなると考えられる。この点、上記の実施形態では、そのＬＤＫ３１を対象として、上述した冷暖房負荷の低減を図っているため、住宅１０の省エネルギ化をより好適に図ることができる。
【００６０】
寝室１６，１７（詳しくは寝室１６及び子供部屋１７）では、夜間に冷暖房が利用されるため、昼間の日射熱が冷暖房の負荷低減に与える影響が少ない。そこで、上記の実施形態では、この点に鑑みて、住宅１０に設けられた複数の寝室１６，１７をいずれも一階部分１１に集約させている。すなわち、日当たりが比較的悪い一階部分１１に寝室１６，１７を集約させている。この場合、日当たりが良い二階部分１２において、ＬＤＫ３１を広く形成することが可能となるため、ＬＤＫ３１を開放感あふれる空間とすることができる。
【００６１】
本発明は上記実施形態に限らず、例えば次のように実施されてもよい。
【００６２】
・上記実施形態では、ＬＤＫ３１を平面視Ｌ字状に形成したが、ＬＤＫ３１を南北又は東西に延びる平面視長方形状にする等、他の形状で形成してもよい。
【００６３】
・上記実施形態では、バルコニー３６の北側にＬＤＫ３１（居間空間）を隣接させたが、ＬＤＫ３１に代えて、リビングやダイニング等、他の居間空間を隣接させてもよい。また、上記実施形態では、ＬＤＫ３１の南側に書斎３３（非居間空間）を隣接させたが、書斎３３に代えて、納戸や洗面室等、他の非居間空間を隣接させてもよい。また、和室等の居間空間を隣接させてもよい。
【００６４】
・上記実施形態では、ＬＤＫ３１の窓部５１に設けられたガラス窓５２の日射熱取得率を住宅１０に設けられた他のガラス窓の日射熱取得率よりも大きくしたが、ガラス窓５２の日射熱取得率は必ずしも他のガラス窓の日射熱取得率より大きくする必要はない。その場合にも、住宅南側の隣家ＫからＬＤＫ３１までの距離がバルコニー３６により大きくされているため、住宅南側で隣家Ｋが近接している場合でも、冬場においてＬＤＫ３１に日射ひいては日射熱を好適に取り込むことができる。
【００６５】
・上記実施形態では、バルコニー３６の西面側で外壁４８よりも南側に張り出す張出部５９を、その内部に書斎３３（ひいては屋内空間）を有して形成したが、これを変更してもよい。例えば、張出部を、バルコニー３６の西面側で外壁４８から南側に向けて延びる袖壁により構成してもよい。その場合にも、その袖壁によりＬＤＫ３１に西日が射し込むのを抑制することができる。
【００６６】
・上記実施形態では、屋根部１３の軒部５７をバルコニー３６上方の庇部としたが、かかる庇部をオーニング等、他の部材により構成してもよい。
【００６７】
・冷房負荷低減の観点からすれば、夏場においては、窓部５１を外部ブラインドやカーテン等で遮蔽することで、ＬＤＫ３１への日射熱の流入をより一層抑制するのが望ましい。
【００６８】
・上記実施形態では、バルコニー３６を一階部分１１の上方（真上）に形成されたルーフバルコニーとしたが、バルコニー３６をキャンチバルコニーや、ロジア等、ルーフバルコニー以外の態様で形成してもよい。
【００６９】
・上記実施形態では、二階建ての住宅１０に本発明を適用したが、三階建て以上の住宅に本発明を適用してもよい。例えば、三階建ての住宅においては、三階部分（最上階部）にバルコニーと居間空間とを設けることが考えられる。
【符号の説明】
【００７０】
１０…住宅、１１…下階部としての一階部分、１２…上階部としての二階部分、１６…寝室、１７…寝室としての子供部屋、３１…居間空間としてのＬＤＫ、３３…隣接空間及び非居間空間としての書斎、３６…バルコニー、３８…隣接空間部としての第１空間部、３９…延出空間部としての第２空間部、４８…仕切壁としての外壁、５１…採光窓部としての窓部、５２…ガラス窓としてのガラス戸、５４…床部としてのバルコニー床部、５７…庇部としての軒部、５９…張出部。
【図１】
2017226960.tif 000003
【図２】
2017226960.tif 000004
【図３】
2017226960.tif 000005